(57)【特許請求の範囲】
【請求項１】
外枠の一側に開閉自在に取り付けられる前面枠体と、該前面枠体の前面に設けられる上球受皿及び下球受皿と、該下球受皿と連通状に設けられる合成樹脂製の通路部材とを備えてなるパチンコ遊技機において、
前記通路部材に筒状の配線挿通部を一体に設けると共に、上球受皿及び下球受皿に設けられた電気部品から引き出される配線コードを前記配線挿通部から前面枠体の裏面側に通して基板に接続するようにしたことを特徴とするパチンコ遊技機。
【請求項２】
前記電気部品が、貸球ボタン、カード返却ボタン、カード残高表示装置、スピーカー等である請求項１記載のパチンコ遊技機。
【請求項３】
前記前面枠体が、鉄板等の金属板により形成されている請求項１記載のパチンコ遊技機。
【請求項４】
前記前面枠体には、通路部材の取付用開口と該通路部材の配線挿通部を嵌挿する配線挿通孔が設けられており、通路部材及び配線挿通部を取付用開口及び配線挿通孔に臨ませると共に、通路部材及び配線挿通部に設けられた係止爪を前面枠体の係合溝に係止させることにより通路部材を前面枠体に着脱自在に取り付けるようになっている請求項１又は３記載のパチンコ遊技機。
【請求項５】
前記通路部材は、ファール球を下球受皿に誘導するファール球誘導通路と、上球受皿が設けられた前面板を開放したとき零れ落ちるパチンコ球を下球受皿に誘導する零れ球誘導通路とを備え、前記ファール球誘導通路と零れ球誘導通路はそれぞれ独立して形成され、かつ前後左右に屈曲する迷路構造として構成されていることを特徴とする請求項１又は３、４記載のパチンコ遊技機。
【発明の詳細な説明】
【０００１】
【発明の属する技術分野】
本発明は、パチンコ遊技機に関し、特に前面枠体の前面に設けられる電気部品の配線処理を効果的に行い得るようにしたパチンコ遊技機に関するものである。
【０００２】
【従来の技術】
周知のように従来のパチンコ遊技機は、外枠の一側に前面枠体が開閉自在に取り付けられており、該前面枠体の前面に上球受皿及び下球受皿が設けられている。一方、前面枠体の裏面には、遊技盤取付枠を介して遊技盤が着脱自在に取り付けられており、該遊技盤の裏面に、球タンクやタンクレール或いはパチンコ球払出装置、入賞球処理装置、さらにはこれらの電気的部品を駆動制御するための基板や遊技制御基板が収納された基板ボックス等の裏機構が集約して組み付けられた合成樹脂製の機構板が開閉自在に取り付けられている。
【０００３】
【発明が解決しようとする課題】
ところで、上球受皿に貸球ボタン、カード返却ボタン、カード残高表示装置等の電気部品が設けられ、下球受皿にスピーカー等の電気部品が設けられているパチンコ遊技機のような場合、これらの電気部品から引き出される配線コードを前面枠体の裏面側へ導いて基板に接続するようにされていた。この際に、従来では前面枠体に穿設された配線挿通孔に配線コードを直接に通して裏面側へ導くようにされていたために、例えば配線挿通孔の周縁部分にバリがあったりすると、上球受皿が取り付けられた前面板を開閉操作する度にそのバリ部分に配線コードが擦れて断線する等の問題点があった。
【０００４】
本発明は上記のような問題点に鑑みてなされたもので、その目的とするところは、ファール球を下球受皿に誘導するファール球誘導通路と、上球受皿が取り付けられた前面板を開放したとき零れ落ちるパチンコ球を下球受皿に誘導する零れ球誘導通路とを備えた通路部材を有効に利用して前面枠体の前面に設けられる電気部品から引き出される配線コードの断線事故を防止し得るようなパチンコ遊技機を提供しようとするものである。
【０００５】
【課題を解決するための手段】
上記した目的を達成するために、請求項１に係る発明は、外枠の一側に開閉自在に取り付けられる前面枠体と、該前面枠体の前面に設けられる上球受皿及び下球受皿と、該下球受皿と連通状に設けられる合成樹脂製の通路部材とを備えてなるパチンコ遊技機において、前記通路部材に筒状の配線挿通部を一体に設けると共に、上球受皿及び下球受皿に設けられた電気部品から引き出される配線コードを前記配線挿通部から前面枠体の裏面側に通して基板に接続するようにしたことを特徴としている。
【０００６】
また、請求項２に係る発明は、電気部品が貸球ボタン、カード返却ボタン、カード残高表示装置、スピーカーであることを特徴としており、請求項３に係る発明は、前記前面枠体が鉄板等の金属板により形成されていることを特徴としている。
【０００７】
さらに、請求項４に係る発明によれば、前記前面枠体には、通路部材の取付用開口と該通路部材の配線挿通部を嵌挿する配線挿通孔が設けられており、通路部材及び配線挿通部を取付用開口及び配線挿通孔に臨ませると共に、通路部材及び配線挿通部に設けられた係止爪を前面枠体の係合溝に係止させることにより通路部材を前面枠体に着脱自在に取り付けるようになっていることを特徴としている。
【０００８】
また、請求項５に係る発明によれば、前記通路部材は、ファール球を下球受皿に誘導するファール球誘導通路と、上球受皿が設けられた前面板を開放したとき零れ落ちるパチンコ球を下球受皿に誘導する零れ球誘導通路とを備え、前記ファール球誘導通路と零れ球誘導通路はそれぞれ独立して形成され、かつ前後左右に屈曲する迷路構造として構成されていることを特徴としている。
【０００９】
そして、請求項１及び請求項２に係る発明は、前面枠体の前面に設けられる電気部品から引き出される配線コードの断線事故を防止することが可能となり、請求項３に係る発明は、リサイクルに適したパチンコ遊技機を提供することが可能となる。また、請求項４に係る発明は、通路部材を正しい位置に容易に取り付けることが可能となり、さらに、請求項５に係る発明は、下球受皿の下皿口から通路部材にピアノ線や針金等を差し込んで行われる不正遊技を防止することが可能となる。
【００１０】
【発明の実施の形態】
次に、図面を参照して本発明の一実施の形態を説明する。図１はパチンコ遊技機の正面図、図２はパチンコ遊技機の裏面図、図３はガラス板保持枠と上球受皿を有する前面板及び下球受皿を有する前面下部板を開いた状態の斜視図、図４は前面枠体を開放した状態の裏面斜視図、図５は前面枠体の分解斜視図、図６は前面枠体の斜視図である。図１において、パチンコ遊技機１は、縦長な方形状に枠組み形成される木製の外枠２と、該外枠２の一側前面にヒンジ機構３によって開閉自在に装着される金属製の前面枠体４とを備え、該前面枠体４の前面一側にガラス板保持枠５と、上球受皿６を有する前面板７及び下球受皿８と打球発射用の操作ハンドル９が設けられた前面下部板１０とが開閉自在に軸支されている。前記外枠２の前面下部には腰板１１が張られており、前面枠体４を閉じた状態で外枠２の腰板１１の上端面と前面枠体４の下端面とが重合するように構成されている。
【００１１】
前記外枠２と前面枠体４のヒンジ機構３は、図７及び図８に示すように上部ヒンジ機構３ａと下部ヒンジ機構３ｂとから構成されている。上部ヒンジ機構３ａは図７に示すように外枠２の外側の上部隅部にビス１２で取り付けられる上部固定金具１３と前面枠体４の一側上部にカシメ着される上部可動金具１４とからなる。上部固定金具１３は、外枠２の上面に添わせる水平板部１３ａと外枠２の外側面に添わせる垂直板部１３ｂとにより逆Ｌ字形に形成されており、水平板部１３ａには外枠２の上面端部から前方に突出し、かつ外側に向かって開口する切欠き溝１５ａと該切欠き溝１５ａと連通状に軸受孔１５を穿設した突出片１６が一体に設けられている。なお、前記切欠き溝１５ａの両側に位置する突出片１６の上面は手前下から後方上へ向かう上向き傾斜面１６ａとして形成されている。
【００１２】
また、前記上部可動金具１４は、前面枠体４の裏面に添わせる取付片１４ａと前面枠体４の前方に突出する水平板部１４ｂとを有し、その水平板部１４ｂの先端下面に上ヒンジ軸１７が下向きに突設されている。前記上ヒンジ軸１７は、上部固定金具１３の軸受孔１５に嵌合する円形軸部１７ａと前面枠体４をほぼ直角状に開放した状態で切欠き溝１５ａに挿入できる幅に形成した扁平軸部１７ｂを有し、その円形軸部１７ａと扁平軸部１７ｂとの境界面が後方上から手前下へ向かう下向き傾斜面１７ｃとして形成されている。なお、前記上ヒンジ軸１７であり、その扁平軸部１７ｂには、前面枠体４の上動範囲を規制する突起状の規制突部１８が一体に設けられている。
【００１３】
一方、前記下部ヒンジ機構３ｂは、図８に示すように外枠２の内側の下部隅部にビス１９で取り付けられる下部固定金具２０と、前面枠体４の一側下部にカシメ着される下部可動金具２１とから構成されている。下部固定金具２０は、外枠２の下部内側に添わせる垂直な取付片部２０ａと外枠２の前方に突出する水平板部２０ｂとを有し、その水平板部２０ｂの上面に凸状部２２が一体に形成されている。この凸状部２２は、下部可動金具２１の水平板部２１ｂとの接触面を少なくして前面枠体４の開閉を円滑に行い得るようにするためのもので、図８に示すように略円形状に膨出形成され、その中心に貫通孔２３が設けられている。そして、貫通孔２３の下方から下ヒンジ軸２４が上向きに貫通されてカシメ或いは溶接等により一体に固着されている。また、前記下部可動金具２１は、前面枠体４の裏面側に添わせる垂直な取付片部２１ａと前面枠体４の前方に突出する水平板部２１ｂとを有し、その水平板部２１ｂに前記下ヒンジ軸２４に嵌合する軸受孔２１ｃが穿設されている。
【００１４】
このように構成されたヒンジ機構３において、外枠２に前面枠体４を軸支するには、先ず下部可動金具２１の軸受孔２１ｃを下部固定金具２０の下ヒンジ軸２４に上方から嵌合させ、次に、図７に示すように前面枠体４をほぼ直角状に開放した状態に位置させて上ヒンジ軸１７の扁平軸部１７ｂを上部固定金具１３の切欠き溝１５ａに臨ませて前面枠体４を外枠２に押し付ける。これによって、図９鎖線で示すように上部固定金具１３の上向き傾斜面１６ａと上部可動金具１４の上ヒンジ軸１７に形成された下向き傾斜面１７ｃとによって前面枠体４が徐々に上方へ押し上げられ、さらに前面枠体４を押し込むことにより図９実線で示すように上ヒンジ軸１７の円形軸部１７ａが上部固定金具１３の軸受孔１５に嵌合されるもので、このように外枠２に対して前面枠体４がワンタッチで開閉自在に軸支されるようになっている。
【００１５】
なお、図４に示すように前記外枠２の腰板１１の上端面であって、その略中央位置に球体２５を回転自在に設けた主金具２６が取り付けられており、前面枠体４の下端面の略中央位置には前記主金具２６の球体２５が接触する補助金具２７が取り付けられている。前記外枠２に取り付けられる主金具２６は、腰板１１の上端面に添わせる水平板部２６ａと腰板１１の内側に添わせる取付板部２６ｂとによりＬ字状に形成されており、水平板部２６ａには球体２５を回転自在に、かつ球体２５の一部が水平板部２６ａの上面に突出するように収納した箱状部２８が一体的に形成されている。前記箱状部２８は、図１０に示すように水平板部２６ａの略中央部を凹状に窪ませると共に、その凹状の窪み部分２９を囲うようにステンレス板からなる固定片３０をカシメ及びリベット止めすることによって形成されており、その窪み部分２９の底部と固定片３０に穿設された球体２５の直径より小さい保持孔３１，３１によって球体２５が定位置で回転自在なように収納保持されるようになっている。一方、前記補助金具２７は、前面枠体４の下端面に位置して主金具２６の球体２５が接触する水平板部２７ａと前面枠体４の背面に添わせる取付板部２７ｂとによりＬ字状に形成されている。
【００１６】
前記主金具２６は、腰板１１の上端面に形成された切欠凹部（図示せず）に箱状部２８を嵌合して水平板部２６ａを腰板１１の上端面に密着させると共に、取付板部２６ｂを腰板１１の内側面にねじ止め３２することによって外枠２に取り付けられるようになっている。また、前記補助金具２７は、前面枠体４を閉じた状態において主金具２６の球体２５と水平板部２７ａとが互いに当接するように位置決めして水平板部２７ａを前面枠体４の下端面に密着させると共に、取付板部２７ｂを前面枠体４の背面にねじ止め３３することによって前面枠体４に取り付けられるようになっている。
【００１７】
このように構成することによって、前面枠体４を開閉動作する際に前面枠体４が重くても補助金具２７の水平板部２７ａが主金具２６の球体２５に接触して該球体２５が自在に回転することになり、これによって外枠２の腰板１１の上端面と前面枠体４の下端面との重合部の接触摩擦を軽減することができて外枠２に対する前面枠体４の開閉動作を円滑に、かつ楽に行うことができるようになる。
【００１８】
一方、図３及び図５、６に示すように前記前面枠体４の前面であり、かつその軸支側の上端にガラス板保持枠５の一側上端が軸支される下向きのヒンジ軸３４を突設した支持体３５が固着されている。また、前面枠体４の軸支側であり、その中程よりやや下方位置に前面板7と前面下部板１０とを軸支するためのヒンジ金具３６がカシメ着されている。このヒンジ金具３６は、上端にガラス板保持枠５と前面板７との間に介在してガラス板保持枠５の軸支側下面を受ける水平な上部支持片３６ａが形成され、上下略中間位置に前面板７と前面下部板１０との間に介在して前面板７の軸支側下面を受ける水平な下部支持片３６ｂが形成され、さらにその下端には前面下部板１０の軸支側下面を受ける水平受止片３６ｃがそれぞれ形成されており、これら上下部支持片３６ａ，３６ｂ及び水平受止片３６ｃにそれぞれ設けられた軸通孔３７ａ，３７ｂ，３７ｃにヒンジ軸杆３８を貫通させている。このヒンジ軸杆３８は、ハンマーなどで強く打ち込むことにより外周面に形成されたロレット加工３９部分を上部支持片３６ａの軸通孔３７ａに圧接させて抜脱しないように固着されており、その上端が上部支持片３６ａから上方へ僅かに突出するようにその長さが選ばれている。
【００１９】
そして、その上部支持片３６ａから上方に突出するヒンジ軸杆３８にガラス板保持枠５の一側下端が軸支され、上下部支持片３６ａ，３６ｂ間に位置するヒンジ軸杆３８に上球受皿６が取り付けられた前面板７がヒンジ部材４０を介して軸支され、さらに下部の支持片３６ｂと水平受止片３６ｃ間に位置するヒンジ軸杆３８に下球受皿８が取り付けられた前面下部板１０がヒンジ部材４０を介して軸支されるようになっている。このように、ヒンジ金具３６の上部支持片３６ａから上方へ突出するヒンジ軸杆３８にガラス板保持枠５の一側下端を軸支し、上下部支持片３６ａ，３６ｂ間に位置するヒンジ軸杆３８に前面板７を軸支し、さらに下部支持片３６ｂと水平受止片３６ｃ間に位置するヒンジ軸杆３８に前面下部板１０を軸支することにより、一本のヒンジ軸杆３８を共通軸として前面板７及び前面下部板１０を前面枠体４に容易に装着することができるようになっている。
【００２０】
前記上球受皿６は、図１１及び図１２に示すようにパチンコ球を貯留する皿本体４１と、装飾カバー部材４２とから構成されている。前記皿本体４１は、底部が緩やかに下り傾斜し、その傾斜下部にパチンコ球が一列に整列される整流部４３が設けられている。そして、皿本体４１に貯留されるパチンコ球は整流部４３によって一列に整列されながら前面板７に開設された球出口４４から裏面に導かれて自動球送り装置４５の球入口４６に連続状態で送り込まれるようになっている。また、皿本体４１の前面であり、その右側部分に球抜き装置４７が設けられている。この球抜き装置４７は、球抜き操作ボタン４８を押すことにより、シャッター板４９がリンク部材５０を介して整流部４３の流下端に開設された球抜孔を開放する位置に移動し得るようになっている。そして、球抜きされた球は後述する通路部材８７に形成された球抜き誘導通路９５を通って下球受皿８ヘ導かれるようになっている。
【００２１】
前記装飾カバー部材４２は、皿本体４１の前方部を覆うように取り付けられるものであって、その左側部分は前面が開放されたドーム状の空間部５１が形成されるような膨出部５２とされており、その空間部５１に灰皿５３が前方に回転自在に軸支されている。また、前記ドーム状の空間部５１は装飾カバー部材４２とは別パーツ部材で形成されており、その空間部５１に位置する内側表面は金属メッキ等の耐熱処理が施されている。このように、ドーム状の空間部５１に灰皿５３を設けることにより、たばこの灰などが下球受皿８ヘ落ちないようにすることができると共に、灰皿５３を目立たなくすることができて全体的なデザイン効果を高めることが可能になる。
【００２２】
また、前記ドーム状の空間部５１が設けられた膨出部５２の上部には半透明のレンズカバー５４が設けられ、カード式パチンコ機用の残高表示装置５５がレンズカバー５４の内側であり、皿本体４１に取り付けられている。さらに残高表示装置５５の近くにカード式パチンコ機における貸し球ボタン５６、カード返却ボタン５７等の電気部品が設けられている。
【００２３】
前記下球受皿８は、図１３及び図１４に示すように前面下部板１０の前面に取り付けられるベース板５８と、前面下部板１０の前面を装飾する装飾カバー体５９と、前記ベース板５８と装飾カバー体５９との間に装着される下皿部材６０とから構成されている。前記ベース板５８には、前面下部板１０の四角状開口６１から後方へ突出して上球受皿６の余剰球を下皿部材６０に導く下皿口６２と円形孔６３の前面周縁部分を囲う膨出フランジ部６４が設けられている。前記ベース板５８及び装飾カバー体５９は、下皿部材６０を装飾カバー体５９に嵌め込んだ状態で前面下部板１０の前面にビス止めされるようになっている。また、下皿部材６０は、その底部に円形の球抜き孔６５が設けられ、さらにその底部の下面に球抜き装置（図示せず）が設けられている。また、装飾カバー体５９は、下皿部材６０の前方外周を覆う装飾カバー部６６と操作ハンドル９のカバー部６７とから構成されている。
【００２４】
前記操作ハンドル９のカバー部６７の中空内部には、図示を省略するが操作ハンドル９の回転角度を検出する精密可変抵抗器や単発打ち用のスイッチ、さらにはこれらのリード線が接続されるコネクタ等の電気部品が内装されている。そして、カバー部６７は、装飾カバー体５９の取付部６８に突設された位置決め突起６９と図示されていないカバー部６７の嵌合凹孔とを嵌め合わせた後、前面下部板１０の裏面側からビス止めすることにより、カバー部６７と装飾カバー部６６とが滑らかな湾曲面状で連続性を有する一体形状となるように正しく取り付けることができるようになっている。
【００２５】
前記前面下部板１０に開設された円形孔６３には、多数の透音孔７０を設けたパンチングメタル７１を介してスピーカー７２が取り付けられるようになっている。詳しくは、円形孔６３の裏面側から多数の透音孔７０を設けたパンチングメタル７１が嵌め合わされ、該パンチングメタル７１の裏面にスピーカー７２が設けられ、さらにスピーカー７２を覆うようにして円筒状のカバー部材７３を前面下部板１０の裏面にビス止めすることにより、スピーカー７２が前面下部板１０の裏面であり、そのほぼ中央位置に取り付けられるようになっている。前記パンチングメタル７１は、その周縁部分がベース板５８の膨出フランジ部６４の内側に当接されており、スピーカー７２はカバー部材７３の内部に突設された突起７４，７４によってパンチングメタル７１の裏面に圧接されており、これによってスピーカー７２ががたつくようなことがなく確固と固定されることになる。
【００２６】
このように、スピーカー７２をパチンコ遊技機１の前面に設けられる前面下部板１０に取り付けると共に、その前面をパンチングメタル７１で覆うことにより、下球受皿８に排出される賞球や上球受皿６から落下する零れ球が当たってもスピーカー７２が損傷をうけるようなことがなく、しかもパンチングメタル７１を通して下球受皿８の前面ほぼ中央部からスピーカー７２の音が直接に出されるため、その音がこもったりするようなことがなく聞きやすいという利点がある。さらに前面下部板１０を開放してカバー部材７３を取り外すだけでスピーカー７２の組み付けや交換ができる。
【００２７】
一方、図３及び図５，６において前記前面枠体４は、上部にほぼ正方形状の開口部７５が形成され、その下部が板状部として形成された主枠部７６と、該主枠部７６の裏面側であり、開口部７５の上側位置を除く左右両側位置及び下側位置にそれぞれカシメ着されて該主枠部７６と一体化される遊技盤取付枠７８とを有し、その遊技盤取付枠７８であり、かつ主枠部７６の開口部７５を覆うように遊技盤７９が着脱可能に取り付けられるようになっている。この遊技盤７９の前面には円形状の誘導レール８０が複数のレール取付ピンで取り付けられており、該誘導レール８０で囲まれる領域が遊技領域として構成されている。
【００２８】
また、前記前面枠体４には、パチンコ遊技機１の主要な遊技構成部品のほぼすべてが集約して設けられている。すなわち、前面枠体４の主枠部７６前面には、遊技盤７９の遊技領域外を覆うように合成樹脂により形成されたレール飾り部材８１と、同じように合成樹脂により形成されたレール変形防止部材８２が設けられ、遊技盤７９の遊技領域外には証紙貼付部材８３が設けられる。また、開口部７５の下方の板状部に貫通形成された円形状取付孔８４には打球発射機構８５が設けられ、ほぼ四角状の取付用開口８６には通路部材８７が取り外し自在に装着されるようになっている。
【００２９】
前記打球発射機構８５は、発射レール８８と、該発射レール８８の発射位置に臨む打球杆８９と、該打球杆８９の駆動源としてのロータリーソレノイド９０と、打球杆８９の発射動作に連動して上球受皿６に貯留される打球を１個ずつ発射レール８８の発射位置に供給する前記した自動球送り装置４５とをそれぞれ板状の保持体９２に一体に組付けてユニット化されている。そして、円形状取付孔８４にロータリーソレノイド９０を前面側から臨ませると共に、保持体９２の裏面側に突設された複数の嵌合突起（図示せず）を板状部に穿設された係合孔９３に係合させることによって、打球発射機構８５が前面枠体４の主枠部７６にビス止めすることなくワンタッチで強固に取り付けられるようになっている。
【００３０】
前記通路部材８７は合成樹脂によって形成されており、図１５及び図１６に示すように上球受皿６の余剰球を下球受皿８に誘導する余剰球誘導通路９４と、上球受皿６から球抜きした球を下球受皿８に誘導する球抜き誘導通路９５と、発射レール８８の発射位置から発射された打球がファール球となったとき、そのファール球を下球受皿８に誘導するファール球誘導通路９６と、前面板７を開放したとき零れ落ちる賞球を下球受皿８に誘導する零れ球誘導通路９７とを備えたユニット化構造として構成されている。詳しくは、前記通路部材８７は図１７に示すように前部材８７ａと後部材８７ｂとの二部材で構成されており、その前部材８７ａであって、その前基板９８の前面側の上部位置には、ファール球を受けるファール球受皿部９９と前面板７の開放時に零れ落ちる賞球を受ける賞球受皿部１００とが仕切壁１０１により区画されて左右に並設されている。また、ファール球受皿部９９の下方位置に前記球抜き誘導通路９５が設けられており、さらに前部材８７ａの前基板９８のほぼ中央位置にはファール球誘導通路９６を構成する第１ファール球中間通路部９６ａと、零れ球誘導通路９７を構成する第１零れ球中間通路部９７ａとがそれぞれ独立して設けられている。
【００３１】
一方、前記後部材８７ｂであって、その後基板１０２の後面側の上部位置には、ファール球受皿部９９の導出路１０３と連通してファール球誘導通路９６を構成する第２ファール球中間通路部９６ｂと、賞球受皿部１００の導出路１０４と連通して零れ球誘導通路９７を構成する第２零れ球中間通路部９７ｂがそれぞれ独立して設けられており、さらにその下方位置に前記前部材８７ａに設けられた第１ファール球中間通路部９６ａの下流端と連通する第３ファール球中間通路部９６ｃと第１零れ球中間通路部９７ａの下流端と連通する第３零れ球中間通路部９７ｃとがそれぞれ独立して設けられている。また、後基板１０２の下部位置には、前記上球受皿６の余剰球誘導通路９４が設けられており、該余剰球誘導通路９４と前記第３ファール球中間通路部９６ｃ及び第３零れ球中間通路部９７ｃの下流端とがそれぞれ連通されている。そして、前記余剰球誘導通路９４の後側部にアウト球排出通路部１０５及び球抜き排出通路部１０６がそれぞれ設けられている。
【００３２】
このような構成からなる通路部材８７は、前部材８７ａと後部材８７ｂのそれぞれに設けた複数の爪部１０７と係止部１０８とを係合させることによってねじ止めすることなく一体に合体して結合することができるようになっている。そして、前部材８７ａと後部材８７ｂとを一体に合体することにより、前部材８７ａのファール球受皿部９９の導出路１０３及び賞球受皿部１００の導出路１０４と、後部材８７ｂの第２ファール球中間通路部９６ｂ及び第２零れ球中間通路部９７ｂとが連通され、さらに後部材８７ｂの第２ファール球中間通路部９６ｂ及び第２零れ球中間通路部９７ｂの下流端と前部材８７ａの第１ファール球中間通路部９６ａ及び第１零れ球中間通路部９７ａとが連通されるもので、これによってファール球誘導通路９６と零れ球誘導通路９７とが互いに合流することなく、しかも前後左右に屈曲した迷路構造としてそれぞれ独立して構成されることになる。このように、ファール球誘導通路９６と零れ球誘導通路９７とを互いに独立した迷路構造として構成することにより、下球受皿８の下皿口６２からピアノ線や針金等を差し込んで行われる不正遊技を確実に防止できるという利点がある。
【００３３】
しかして、本実施の形態では前記通路部材８７の前部材８７ａであって、その前基板９８の左右の側部位置に配線挿通部１１０ａ，１１０ｂを一体に設けている。この配線挿通部１１０ａ，１１０ｂは、前面枠体４の主枠部７６に貫通形成された配線挿通用の円形孔１１１に嵌挿し得るように筒状に形成されており、その筒状周壁１１２によって配線挿通用の円形孔１１１の内周縁を覆うように構成されている。また、筒状周壁１１２には切り溝１１３によって弾性が付与された係止爪１１４が設けられている。
【００３４】
上記のようにユニット化された通路部材８７を前面枠体４の主枠部７６に取り付けるには、主枠部７６に貫通形成された四角状取付孔８６に通路部材８７の後部材８７ｂ部分を前面側から臨ませると共に、円形孔１１１に配線挿通部１１０ａ，１１０ｂの筒状周壁１１２を嵌挿し、前部材８７ａと一体に設けられた複数の後向き係止爪１１５を主枠部７６に穿設された係合溝１１６に臨ませて主枠部７６に押し付ける。これによって、前部材８７ａの裏面側が主枠部７６の前面に密着すると共に、後向き係止爪１１５が係合溝１１６に係止され、さらに配線挿通部１１０ａ，１１０ｂの筒状周壁１１２に設けられた係止爪１１４が円形孔１１１の周縁に係止されることになり、これによって通路部材８７を前面枠体４の主枠部７６にビス止めすることなくワンタッチで強固に取り付けることができる。また、配線挿通部１１０ａ，１１０ｂの筒状周壁１１２が主枠部７６の前後に突出位置して円形孔１１１の内周縁を確実に覆うことになる。このように、打球発射機構８５、或いは通路部材８７をユニット化して金属製の前面枠体４に取り外し自在に装着する構成とすることにより、前面枠体４と打球発射機構８５、或いは通路部材８７の分離仕分け作業が容易となり、パチンコ遊技機を廃棄処分したり、リサイクルしたりするのに好都合となる。なお、通路部材８７の前部材８７ａには、主枠部７６に穿設された複数の位置決め孔１１７に嵌め合わせる複数の嵌合ピン１１８が設けられており、該嵌合ピン１１８と位置決め孔１１７及び円形孔１１１と配線挿通部１１０ａ，１１０ｂの筒状周壁１１２とによって通路部材８７を正しい位置に容易に取り付けることができる。
【００３５】
一方、図２に示すように前記前面枠体４の裏面には、合成樹脂製の機構板１１９が上下のヒンジ１２０，１２０を介して着脱及び開閉自在に設けられている。この機構板１１９は、遊技盤７９の裏面に相対する板状部を有し、該板状部の前面に入賞球集合カバー１２１が収納される入賞球集合空間が形成され、その入賞球集合空間の下方部に樋状の入賞球集合部１２２が設けられている。また、機構板１１９の板状部の裏面上部には貯留球タンク１２３と、該貯留球タンク１２３に貯留された球を下流側に整列しながら誘導する球誘導樋１２４が設けられており、さらに球誘導樋１２４の下流側には屈曲誘導樋１２５を介して賞球払出装置１２６が着脱可能に設けられている。また、賞球払出装置１２６の下方には、払い出された賞球を上球受皿６に導く賞球排出通路１２７、該上球受皿６の余剰球出口の側方に連通状に設けられる余剰球通路１２９、アウト球通路１３０、球抜通路１３１等が設けられており、余剰球通路１２９の流下端が前記通路部材８７の余剰球誘導通路９４に連通され、アウト球通路１３０の流下端が前記通路部材８７のアウト球排出通路部１０５に連通され、さらに球抜通路１３１の流下端が前記通路部材８７の球抜き排出通路部１０６にそれぞれ連通されるようになっている。また、前記入賞球集合空間が形成された板状部の略中央部には入賞球集合カバー１２１よりやや小さい開口窓が形成されており、該開口窓に対応する入賞球集合カバー１２１の裏面にはパチンコ遊技機の遊技状態を制御するための遊技制御基板を収納した基板ボックス１３２及び各種の電気部品から引き出される配線コードが接続される基板１３３が着脱可能に装着されている。
【００３６】
上記のような構成からなるパチンコ遊技機において、前記上球受皿６に設けられる貸球ボタン５６、カード返却ボタン５７、カード残高表示装置５５から引き出される配線コード１３４は、図２及び図３に示すように前面板７の裏側に設けられた裏カバー板１３５の通孔１３６から前面枠体４の前面側に引き出され、さらに通路部材８７の一方の配線挿通部１１０ａから前面枠体４の裏側に引き出されて基板１３３に接続されるようになっている。また、前面下部板１０に設けられるスピーカー７２から引き出される配線コード１３７は、通路部材８７の他方の配線挿通部１１０ｂから前面枠体４の裏側に引き出されて基板１３３に接続されるようになっている。なお、１３８は裏カバー板１３５に設けられた配線押さえである。
【００３７】
このように構成されたパチンコ遊技機にあっては、前記上球受皿６に設けられる貸球ボタン５６、カード返却ボタン５７、カード残高表示装置５５から引き出される配線コード１３４及び前面下部板１０に設けられるスピーカー７２から引き出される配線コード１３７を、前記通路部材８７と一体に設けた配線挿通部１１０ａ，１１０ｂから前面枠体４の裏側に引き出して基板１３３に接続するようにしたものであるから、図１８に示すように前面枠体４の主枠部７６に貫通形成された配線挿通用の円形孔１１１の内周縁が配線挿通部１１０ａ，１１０ｂの筒状周壁１１２により覆われて保護されることになるため、円形孔１１１の内周縁にバリがあっても配線コード１３４，１３７が断線するような事故を防止することができる。
【００３８】
【発明の効果】
以上説明したところから明らかなように、本発明によれば、外枠の一側に開閉自在に取り付けられる前面枠体と、該前面枠体の前面に設けられる上球受皿及び下球受皿と、該下球受皿と連通状に設けられる合成樹脂製の通路部材とを備えてなるパチンコ遊技機において、前記通路部材に筒状の配線挿通部を一体に設けると共に、上球受皿及び下球受皿に設けられた電気部品から引き出される配線を前記配線挿通部から前面枠体の裏面側に通して基板に接続するようにしたものであるから、例えば前面枠体に穿設された配線挿通用孔の周縁部分にバリがあっても配線コードが断線するような事故を確実に防止することができると共に、通路部材を有効に利用して配線作業の高能率化を達成することができる。
【図面の簡単な説明】
【図１】パチンコ遊技機の正面図である。
【図２】パチンコ遊技機の裏面図である。
【図３】ガラス板保持枠と上球受皿を有する前面板及び下球受皿を有する前面下部板を開いた状態の斜視図である。
【図４】前面枠体を開放した状態の裏面斜視図である。
【図５】前面枠体の分解斜視図である。
【図６】前面枠体の斜視図である。
【図７】外枠と前面枠体の上部ヒンジ機構部分の斜視図である。
【図８】外枠と前面枠体の下部ヒンジ機構部分の斜視図である。
【図９】外枠と前面枠体の上部ヒンジ機構部分の側面断面図である。
【図１０】主金具の分解斜視図である。
【図１１】上球受皿の斜視図である。
【図１２】上球受皿の分解斜視図である。
【図１３】下球受皿の斜視図である。
【図１４】下球受皿の分解斜視図である。
【図１５】通路部材の斜視図である。
【図１６】通路部材の裏面からの斜視図である。
【図１７】通路部材の分解斜視図である。
【図１８】配線挿通部部分の断面図である。
【符号の説明】
２                  外枠
４                  前面枠体
６                  上球受皿
８                  下球受皿
５５                カード残高表示装置（電気部品）
５６                貸球ボタン（電気部品）
５７                カード返却ボタン（電気部品）
７２                スピーカー（電気部品）
８６                取付用開口
８７                通路部材
９６                ファール球誘導通路
９７                零れ球誘導通路
１１０ａ，１１０ｂ  配線挿通部
１１１              円形孔（配線挿通孔）
１１４              係止爪
１１５              係止爪
１１６              係合溝
１３３              基板
１３４，１３７      配線コード
【図１】
0003902382.tif 000002
【図２】
0003902382.tif 000003
【図３】
0003902382.tif 000004
【図４】
0003902382.tif 000005
【図５】
0003902382.tif 000006
【図６】
0003902382.tif 000007
【図７】
0003902382.tif 000008
【図８】
0003902382.tif 000009
【図９】
0003902382.tif 000010
【図１０】
0003902382.tif 000011
【図１１】
0003902382.tif 000012
【図１２】
0003902382.tif 000013
【図１３】
0003902382.tif 000014
【図１４】
0003902382.tif 000015
【図１５】
0003902382.tif 000016
【図１６】
0003902382.tif 000017
【図１７】
0003902382.tif 000018
【図１８】
0003902382.tif 000019